(57)【要約】【課題】電極体を構成する第１電極板の第１露出部の近傍において、第１セパレータ及び第２セパレータの熱収縮に起因して第１電極板と第２電極板とが短絡するのを防止できる電池を提供すること。【解決手段】電池１は、第１セパレータ４１、第１電極板３１、第２セパレータ４３及び第２電極板２１をこの順に重ねた電極体２０を備える。第１電極板３１は、第１活物質部３１ｎと第１露出部３１ｍを有し、第１セパレータ４１は、第１本体部４１ａと第１端部４１ｂを有し、第２セパレータ４３は、第２本体部４３ａと第２端部４３ｂを有する。第１セパレータ４１の第１端部４１ｂと第２セパレータ４３の第２端部４３ｂとは、第１電極板３１の第１露出部３１ｍを貫通する開口３１ｈを通じて溶着されてなる。【選択図】図４
2019153459.tif 000002
【特許請求の範囲】
【請求項１】
樹脂製の第１セパレータ、第１電極板、樹脂製の第２セパレータ及び第２電極板をこの順に重ねた電極体を備える電池であって、
上記第１電極板は、
第１集電箔の厚み方向に第１活物質層を有する第１活物質部と、
上記第１集電箔の厚み方向に上記第１活物質層を有さず上記第１集電箔が露出する第１露出部と、を有し、
上記第１セパレータは、
上記第１電極板の上記第１活物質部に重なる第１本体部と、
上記第１電極板の上記第１露出部に重なる第１端部と、を有し、
上記第２セパレータは、
上記第１電極板の上記第１活物質部に重なる第２本体部と、
上記第１電極板の上記第１露出部、及び、上記第１露出部を介して上記第１セパレータの上記第１端部に重なる第２端部と、を有し、
上記第１セパレータの上記第１端部と上記第２セパレータの上記第２端部とは、
上記第１電極板の上記第１露出部を貫通する開口を通じて溶着されてなる
電池。
【発明の詳細な説明】
【技術分野】
【０００１】
本発明は、樹脂製の第１セパレータ、第１電極板、樹脂製の第２セパレータ及び第２電極板をこの順に重ねた電極体を備える電池に関する。
【背景技術】
【０００２】
リチウムイオン二次電池などの電池の内部に収容される電極体として、例えば、帯状の正極板及び帯状の負極板を、一対の帯状のセパレータを介して互いに重ね、軸線周りに扁平状または円筒状に捲回した捲回型の電極体が知られている。また、それぞれ矩形状等をなす複数の正極板及び複数の負極板を、矩形状等をなすセパレータを介して交互に積層した積層型の電極体も知られている。
【０００３】
ところで、電池の使用時に何らかの原因で電極体が高温になると、セパレータが熱収縮してセパレータの端部が引き下がるため、セパレータから正極板或いは負極板が突出して、正極板と負極板とが短絡するおそれがある。この問題に対し、特許文献１の電池では、正極リード及び負極リードを有する捲回型の電極体について、一対のセパレータのうち、電極体の軸線方向の両端部（正極板及び負極板よりも軸線方向の外側にそれぞれ突出する部分）同士を、それぞれ熱溶着することが記載されている（特許文献１の請求項１、図１等を参照）。
【先行技術文献】
【特許文献】
【０００４】
【特許文献１】特開２００４−１９９９２４号公報
【発明の概要】
【発明が解決しようとする課題】
【０００５】
しかしながら、正極リードや負極リードを有しない形態の捲回型または積層型の電極体では、特許文献１のように一対のセパレータの端部同士を熱溶着できない。即ち、正極板の一部を、正極集電箔の厚み方向に正極活物質層を有さず正極集電箔が露出する正極露出部として、この正極露出部に直接（正極リードを介さずに）、電池の正極端子を接続する。また、負極板の一部を、負極集電箔の厚み方向に負極活物質層を有さず負極集電箔が露出する負極露出部として、この負極露出部に直接（負極リードを介さずに）電池の負極端子を接続する。
【０００６】
このような形態の電極体では、正極露出部は、一対のセパレータよりも突出しているため、この正極露出部においてセパレータの端部同士を溶着できない。このため、この正極露出部の近傍において、セパレータの熱収縮に伴ってセパレータの端部が引き下がると、正極板と負極板とが短絡するおそれがある。同様に、一対の負極露出部も、セパレータよりも突出しているため、この負極露出部においてセパレータの端部同士を溶着できない。このため、この負極露出部の近傍において、セパレータの熱収縮に伴ってセパレータの端部が引き下がると、正極板と負極板とが短絡するおそれがある。
【０００７】
本発明は、かかる現状に鑑みてなされたものであって、電極体を構成する第１電極板の第１露出部の近傍において、第１セパレータ及び第２セパレータの熱収縮に起因して第１電極板と第２電極板とが短絡するのを防止できる電池を提供することを目的とする。
【課題を解決するための手段】
【０００８】
上記課題を解決するための本発明の一態様は、樹脂製の第１セパレータ、第１電極板、樹脂製の第２セパレータ及び第２電極板をこの順に重ねた電極体を備える電池であって、上記第１電極板は、第１集電箔の厚み方向に第１活物質層を有する第１活物質部と、上記第１集電箔の厚み方向に上記第１活物質層を有さず上記第１集電箔が露出する第１露出部と、を有し、上記第１セパレータは、上記第１電極板の上記第１活物質部に重なる第１本体部と、上記第１電極板の上記第１露出部に重なる第１端部と、を有し、上記第２セパレータは、上記第１電極板の上記第１活物質部に重なる第２本体部と、上記第１電極板の上記第１露出部、及び、上記第１露出部を介して上記第１セパレータの上記第１端部に重なる第２端部と、を有し、上記第１セパレータの上記第１端部と上記第２セパレータの上記第２端部とは、上記第１電極板の上記第１露出部を貫通する開口を通じて溶着されてなる電池である。
【０００９】
上述の電池では、第１セパレータの第１端部と第２セパレータの第２端部とを、第１電極板の第１露出部を貫通する開口を通じて溶着している。このため、電極体が高温になったときに、第１セパレータ及び第２セパレータが熱収縮するのに伴って第１セパレータの第１端部及び第２セパレータの第２端部が移動する（引き下がる）ことを防止できる。よって、第１電極板の第１露出部の近傍において、第１セパレータ及び第２セパレータの熱収縮に起因して第１電極板と第２電極板とが短絡するのを防止できる。
【００１０】
なお、電極体としては、例えば、それぞれ帯状をなす第１セパレータ、第１電極板、第２セパレータ及び第２電極板をこの順に重ねて、軸線周りに円筒状または扁平状に捲回した捲回型の電極体や、それぞれ矩形状等をなす第１セパレータ、第１電極板、第２セパレータ及び第２電極板をこの順に複数積層した積層型の電極体が挙げられる。
第１電極板の第１露出部の「開口」としては、例えば、円状、楕円状、長円状等の貫通孔や、切り欠きなどが挙げられる。
【００１１】
更に、上記の電池であって、前記電極体は、それぞれ帯状をなす前記第１セパレータ、前記第１電極板、前記第２セパレータ及び前記第２電極板を、扁平状に捲回してなり、上記第１セパレータ、上記第１電極板、上記第２セパレータ及び上記第２電極板が半円筒状に曲げられた一対の電極体Ｒ部と、上記一対の電極体Ｒ部同士の間に挟まれ、上記第１セパレータ、上記第１電極板、上記第２セパレータ及び上記第２電極板が平板状に重なった電極体平板部と、を有する扁平状捲回型の電極体であり、上記第１セパレータの前記第１端部と上記第２セパレータの前記第２端部とは、上記電極体のうち、少なくとも上記電極体平板部において、上記第１電極板の前記第１露出部を貫通する前記開口を通じて溶着されてなる電池とするのが好ましい。
【００１２】
扁平状捲回型の電極体のうち、一対の電極体Ｒ部では、電極体の形成時に第１セパレータ及び第２セパレータに掛かる張力や摩擦力により、第１セパレータ及び第２セパレータの熱収縮に伴う第１セパレータの第１端部及び第２セパレータの第２端部の移動が生じ難い。一方、電極体平板部では、第１セパレータ及び第２セパレータの熱収縮に伴う第１セパレータの第１端部及び第２セパレータの第２端部の移動が生じ易い。これに対し、上述の電池では、電極体平板部において、第１セパレータの第１端部と第２セパレータの第２端部とを、第１電極板の第１露出部を貫通する開口を通じて溶着している。このため、第１セパレータ及び第２セパレータの熱収縮に伴って第１セパレータの第１端部及び第２セパレータの第２端部が移動する（引き下がる）ことを防止して、第１電極板と第２電極板とが短絡するのをより確実に防止できる。
【図面の簡単な説明】
【００１３】
【図１】実施形態に係る電池の斜視図である。
【図２】実施形態に係る電池の縦断面図である。
【図３】実施形態に係る電極体の斜視図である。
【図４】実施形態に係る電極体の展開図である。
【図５】実施形態に係る電極体の部分拡大断面図である。
【図６】変形形態１に係る負極板の平面図である。
【図７】変形形態２に係る電極体の斜視図である。
【図８】負極板の負極露出部を貫通する開口の他の例を示す説明図である。
【発明を実施するための形態】
【００１４】
（実施形態）
以下、本発明の実施形態を、図面を参照しつつ説明する。図１及び図２に、本実施形態に係るリチウムイオン二次電池（以下、単に「電池」ともいう）１の斜視図及び縦断面図を示す。また、図３に電池１の電極体２０の斜視図を、図４に電極体２０の展開図を、図５に電極体２０の部分拡大断面図を示す。なお、以下では、電池１の縦方向ＢＨ、横方向ＣＨ及び厚み方向ＤＨを、図１及び図２に示す方向と定めて説明する。また、電極体２０の電極体軸線方向ＥＨ、電極体幅方向ＦＨ及び電極体厚み方向ＧＨを、図３〜図５に示す方向と定めて説明する。
【００１５】
この電池１は、ハイブリッドカーやプラグインハイブリッドカー、電気自動車等の車両などに搭載される角型で密閉型のリチウムイオン二次電池である。この電池１は、角型の電池ケース１０と、この内部に収容された扁平状捲回型の電極体２０と、電池ケース１０に支持された正極端子部材５０及び負極端子部材６０等から構成される（図１及び図２参照）。また、電池ケース１０内には、電解液１５が収容されており、その一部は電極体２０内に含浸され、一部は電池ケース１０の底部に溜まっている。
【００１６】
このうち電池ケース１０は、直方体箱状で金属（本実施形態ではアルミニウム）からなる。この電池ケース１０は、上側のみが開口した有底角筒状のケース本体部材１１と、このケース本体部材１１の開口を閉塞する形態で溶接された矩形板状のケース蓋部材１３とから構成される。ケース蓋部材１３には、アルミニウムからなる正極端子部材５０がケース蓋部材１３と絶縁された状態で固設されている。この正極端子部材５０は、電池ケース１０内で電極体２０のうち正極板（第２電極体）２１に接続し導通する一方、ケース蓋部材１３を貫通して電池外部まで延びている。また、ケース蓋部材１３には、銅からなる負極端子部材６０がケース蓋部材１３と絶縁された状態で固設されている。この負極端子部材６０は、電池ケース１０内で電極体２０のうち負極板（第１電極板）３１に接続し導通する一方、ケース蓋部材１３を貫通して電池外部まで延びている。
【００１７】
電極体２０（図２〜図５参照）は、扁平状をなし、横倒しにした状態で電池ケース１０内に収容されている。電極体２０と電池ケース１０との間には、絶縁フィルムからなる袋状の絶縁フィルム包囲体１９が配置されている。この電極体２０は、樹脂製で帯状の多孔質膜からなる第１セパレータ４１、帯状の負極板３１、樹脂製で帯状の多孔質膜からなる第２セパレータ４３、及び、帯状の正極板２１を、この順に重ね、軸線ＡＸ周りに扁平状に捲回したものである。
【００１８】
この電極体２０は、電極体幅方向ＦＨの両端に位置する一対の電極体Ｒ部２０ｒ，２０ｒと、これらの間に挟まれ、電極体幅方向ＦＨの中央に位置する電極体平板部２０ｆとからなる。電極体Ｒ部２０ｒは、第１セパレータ４１、負極板３１、第２セパレータ４３及び正極板２１が半円筒状に曲げられた部位である。一方、電極体平板部２０ｆは、第１セパレータ４１、負極板３１、第２セパレータ４３及び正極板２１が平板状にされて電極体厚み方向ＧＨに重なった部位である。
【００１９】
正極板２１は、帯状のアルミニウム箔からなる正極集電箔（第２集電箔）２２を有する。この正極集電箔２２の両主面のうち、幅方向ＩＨ２の一部でかつ長手方向ＪＨ２に延びる領域上には、それぞれ正極活物質層（第２活物質層）２３，２３が帯状に形成されている。この正極活物質層２３には、正極活物質、導電材及び結着剤が含まれる。正極板２１のうち、厚み方向ＫＨ２に正極活物質層２３を有する部位を、正極活物質部（第２活物質部）２１ｎとする。一方、正極板２１のうち、幅方向ＩＨ２の片方（図３及び図４中、上方、図５中、左方）の端部は、厚み方向ＫＨ２に正極活物質層２３が存在せず、正極集電箔２２が厚み方向ＫＨ２に露出した正極露出部（第２露出部）２１ｍとなっている。この正極露出部２１ｍには、前述の正極端子部材５０が溶接されている。
【００２０】
負極板３１は、帯状の銅箔からなる負極集電箔（第１集電箔）３２を有する。この負極集電箔３２の両主面のうち、幅方向ＩＨ１の一部でかつ長手方向ＪＨ１に延びる領域上には、それぞれ負極活物質層（第１活物質層）３３，３３が帯状に形成されている。この負極活物質層３３には、負極活物質、結着剤及び増粘剤が含まれる。負極板３１のうち、厚み方向ＫＨ１に負極活物質層３３を有する部位を、負極活物質部（第１活物質部）３１ｎとする。一方、負極板３１のうち、幅方向ＩＨ１の片方（図３及び図４中、下方、図５中、右方）の端部は、厚み方向ＫＨ１に負極活物質層３３が存在せず、負極集電箔３２が厚み方向ＫＨ１に露出した負極露出部（第１露出部）３１ｍとなっている。この負極露出部３１ｍには、前述の負極端子部材６０が溶接されている。
【００２１】
なお、負極露出部３１ｍのうち、電極体２０の電極体平板部２０ｆ内に位置する部位を、負極平板露出部３１ｍｆとする。各々の負極平板露出部３１ｍｆには、それぞれ負極露出部３１ｍ（負極平板露出部３１ｍｆ）を貫通する円孔（開口）３１ｈが複数設けられている。これらの円孔３１ｈは、負極平板露出部３１ｍｆの長手方向ＪＨ１の全体にわたり等間隔に設けられている。
【００２２】
第１セパレータ４１は、第１本体部４１ａと第１一方側端部（第１端部）４１ｂと第１他方側端部４１ｃとからなる。このうち第１本体部４１ａは、長手方向ＪＨ３に延びる帯状で、負極板３１の負極活物質部３１ｎに重なる部位である。
また、第１一方側端部４１ｂは、第１本体部４１ａの幅方向ＩＨ３の一方側（図３及び図４中、下方、図５中、右方）に位置して長手方向ＪＨ３に延びる帯状で、負極板３１の負極露出部３１ｍに重なる部位である。この第１一方側端部４１ｂのうち、電極体２０の電極体平板部２０ｆ内に位置する部位を、第１一方側平板端部４１ｂｆとする。
また、第１他方側端部４１ｃは、第１本体部４１ａの幅方向ＩＨ３の他方側（図３及び図４中、上方、図５中、左方）に位置して長手方向ＪＨ３に延びる帯状で、負極板３１とは重ならない部位である。この第１他方側端部４１ｃのうち、電極体２０の電極体平板部２０ｆ内に位置する部位を、第１他方側平板端部４１ｃｆとする。
【００２３】
第２セパレータ４３は、第２本体部４３ａと第２一方側端部（第２端部）４３ｂと第２他方側端部４３ｃとからなる。このうち第２本体部４３ａは、長手方向ＪＨ４に延びる帯状で、負極板３１の負極活物質部３１ｎに重なると共に、負極活物質部３１ｎを介して第１セパレータ４１の第１本体部４１ａに重なる部位である。
また、第２一方側端部４３ｂは、第２本体部４３ａの幅方向ＩＨ４の一方側（図３及び図４中、下方、図５中、右方）に位置して長手方向ＪＨ４に延びる帯状で、負極板３１の負極露出部３１ｍに重なると共に、負極露出部３１ｍを介して第１セパレータ４１の第１一方側端部４１ｂに重なる部位である。この第２一方側端部４３ｂのうち、電極体２０の電極体平板部２０ｆ内に位置する部位を、第２一方側平板端部４３ｂｆとする。
また、第２他方側端部４３ｃは、第２本体部４３ａの幅方向ＩＨ４の他方側（図３及び図４中、上方、図５中、左方）に位置して長手方向ＪＨ４に延びる帯状で、負極板３１とは重なることなく直接、第２セパレータ４３の第１他方側端部４１ｃに重なる部位である。この第２他方側端部４３ｃのうち、電極体２０の電極体平板部２０ｆ内に位置する部位を、第２他方側平板端部４３ｃｆとする。
【００２４】
第１セパレータ４１の第１一方側端部４１ｂと第２セパレータ４３の第２一方側端部４３ｂとは、負極板３１の負極露出部３１ｍを貫通する前述の各円孔３１ｈを通じて溶着されている。即ち、第１セパレータ４１の第１一方側端部４１ｂと第２セパレータ４３の第２一方側端部４３ｂとは、複数の一方側溶着部４５により繋がっている。
具体的には、第１セパレータ４１の第１一方側端部４１ｂと第２セパレータ４３の第２一方側端部４３ｂとは、電極体Ｒ部２０ｒ，２０ｒでは溶着されずに、電極体平板部２０ｆにおいて溶着されている。即ち、第１セパレータ４１の第１一方側端部４１ｂのうち第２一方側平板端部４３ｂｆと、第２セパレータ４３の第２一方側端部４３ｂのうち第２一方側平板端部４３ｂｆとが、負極露出部３１ｍのうち負極平板露出部３１ｍｆにのみ設けられた各円孔３１ｈを通じて溶着されている。
【００２５】
また、第１セパレータ４１の第１他方側端部４１ｃと第２セパレータ４３の第２他方側端部４３ｃとは、他方側溶着部４６により繋がっている。
具体的には、第１セパレータ４１の第１他方側端部４１ｃと第２セパレータ４３の第２他方側端部４３ｃとは、電極体Ｒ部２０ｒ，２０ｒでは溶着されずに、電極体平板部２０ｆにおいて溶着されている。即ち、第１セパレータ４１の第１他方側端部４１ｃのうち第２他方側平板端部４３ｃｆと、第２セパレータ４３の第２他方側端部４３ｃのうち第２他方側平板端部４３ｃｆとが、それらの長手方向ＪＨ３，ＪＨ４の全体にわたり溶着されて、その溶着部位である他方側溶着部４６により繋がっている。
【００２６】
前述のように、本実施形態の電池１では、第１セパレータ４１の第１一方側端部４１ｂと第２セパレータ４３の第２一方側端部４３ｂとを、負極板３１の負極露出部３１ｍを貫通する各円孔３１ｈを通じて溶着している。このため、電極体２０が高温になったときに、第１セパレータ４１及び第２セパレータ４３が熱収縮するのに伴って第１セパレータ４１の第１一方側端部４１ｂ及び第２セパレータ４３の第２一方側端部４３ｂが移動する（図３及び図４中、上方に、図５中、左方に移動する（引き下がる））ことを防止できる。よって、負極板３１の負極露出部３１ｍの近傍において、第１セパレータ４１及び第２セパレータ４３の熱収縮に起因して負極板３１と正極板２１とが短絡するのを防止できる。
【００２７】
更に本実施形態では、第１セパレータ４１の第１他方側端部４１ｃと第２セパレータ４３の第２他方側端部４３ｃも溶着している。このため、電極体２０が高温になったときに、第１セパレータ４１及び第２セパレータ４３が熱収縮するのに伴って第１セパレータ４１の第１他方側端部４１ｃ及び第２セパレータ４３の第２他方側端部４３ｃが移動する（図３及び図４中、下方に、図５中、右方に移動する（引き下がる））ことを防止できる。よって、正極板２１の正極露出部２１ｍの近傍において、第１セパレータ４１及び第２セパレータ４３の熱収縮に起因して負極板３１と正極板２１とが短絡することも防止できる。
【００２８】
ところで、扁平状捲回型の電極体２０のうち、一対の電極体Ｒ部２０ｒ，２０ｒでは、電極体２０の形成時に第１セパレータ４１及び第２セパレータ４３に掛かる張力や摩擦力により、第１セパレータ４１及び第２セパレータ４３の熱収縮に伴う第１セパレータ４１の第１一方側端部４１ｂ及び第２セパレータ４３の第２一方側端部４３ｂの移動が生じ難い。一方、電極体２０のうち電極体平板部２０ｆでは、第１セパレータ４１及び第２セパレータ４３の熱収縮に伴う第１セパレータ４１の第１一方側端部４１ｂ及び第２セパレータ４３の第２一方側端部４３ｂの移動が生じ易い。これに対し、本実施形態の電池１では、電極体平板部２０ｆにおいて、第１セパレータ４１の第１一方側端部４１ｂと第２セパレータ４３の第２一方側端部４３ｂとを、負極板３１の負極露出部３１ｍを貫通する各円孔３１ｈを通じて溶着している。このため、第１セパレータ４１及び第２セパレータ４３の熱収縮に伴って第１セパレータ４１の第１一方側端部４１ｂ及び第２セパレータ４３の第２一方側端部４３ｂが移動する（引き下がる）ことを防止して、負極板３１と正極板２１とが短絡するのをより確実に防止できる。
【００２９】
（変形形態１）
次いで、上記実施形態の変形形態１について説明する（図６参照）。実施形態の電池１では、負極板３１のうち負極露出部３１ｍにのみ、円孔３１ｈを設けた（図４及び図５等を参照）。そして、この円孔３１ｈを通じて、第１セパレータ４１の第１一方側端部４１ｂと第２セパレータ４３の第２一方側端部４３ｂとを、一方側溶着部４５を介して繋げた。
【００３０】
これに対し、本変形形態１の電池１００では、負極板３１を構成する負極集電箔３２の全面にわたり複数の円孔１３１ｈを千鳥格子状に設けている（図６参照）。そして、これらの円孔１３１ｈのうち、負極露出部３１ｍに配置された露出部円孔１３１ｈ１を通じて、第１セパレータ４１の第１一方側端部４１ｂと第２セパレータ４３の第２一方側端部４３ｂとを、一方側溶着部４５を介して繋げている。
【００３１】
本変形形態１の電池１００でも、第１セパレータ４１及び第２セパレータ４３の熱収縮に伴って第１セパレータ４１の第１一方側端部４１ｂ及び第２セパレータ４３の第２一方側端部４３ｂが移動する（引き下がる）ことを防止できる。従って、負極板３１の負極露出部３１ｍの近傍において、第１セパレータ４１及び第２セパレータ４３の熱収縮に起因して負極板３１と正極板２１とが短絡するのを防止できる。
また、本変形形態１では、負極集電箔３２の全面にわたり円孔１３１ｈを設けているので（負極露出部３１ｍだけでなく負極活物質部３１ｎにも円孔１３１ｈを設けているので）、電解液１５が負極板３１（負極活物質部３１ｎ）を厚み方向ＫＨ２に移動可能である。このため、充放電の繰り返しに伴って電極体２０内でリチウムイオン濃度が偏るのを抑制できる。その他、実施形態と同様な部分は、実施形態と同様な作用効果を奏する。
【００３２】
（変形形態２）
次いで、上記実施形態の変形形態２について説明する（図７参照）。実施形態の電池１では、負極板３１の負極露出部３１ｍの負極平板露出部３１ｍｆに、長手方向ＪＨ１の全体にわたり、複数の円孔３１ｈを設けた（図４及び図５等を参照）。そして、これらの円孔３１ｈを通じて、第１セパレータ４１の第１一方側端部４１ｂと第２セパレータ４３の第２一方側端部４３ｂとを、一方側溶着部４５を介して繋げた。
【００３３】
これに対し、本変形形態２の電池２００では、負極板３１の負極露出部３１ｍの負極平板露出部３１ｍｆの一部にのみ、具体的には、電極体幅方向ＦＨの両端部にのみ、複数の円孔２３１ｈを設けている（図７を参照）。そして、これらの円孔２３１ｈを通じて、第１セパレータ４１の第１一方側端部４１ｂと第２セパレータ４３の第２一方側端部４３ｂとを、一方側溶着部２４５を介して繋げている。
【００３４】
本変形形態２の電池２００でも、第１セパレータ４１及び第２セパレータ４３の熱収縮に伴って第１セパレータ４１の第１一方側端部４１ｂ及び第２セパレータ４３の第２一方側端部４３ｂが移動する（引き下がる）ことを防止できる。従って、負極板３１の負極露出部３１ｍの近傍において、第１セパレータ４１及び第２セパレータ４３の熱収縮に起因して負極板３１と正極板２１とが短絡するのを防止できる。
【００３５】
なお、第１セパレータ４１の第１一方側端部４１ｂと第２セパレータ４３の第２一方側端部４３ｂとを溶着しない場合、熱収縮に起因した負極板３１と正極板２１との短絡は、特に電極体幅方向ＦＨの両端部で生じ易いことが判っている。従って、本変形形態２のように、電極体幅方向ＦＨの両端部において、第１セパレータ４１の第１一方側端部４１ｂと第２セパレータ４３の第２一方側端部４３ｂとを溶着することにより、熱収縮に起因した負極板３１と正極板２１との短絡を効果的に防止できる。その他、実施形態と同様な部分は、実施形態と同様な作用効果を奏する。
【００３６】
以上において、本発明を実施形態及び変形形態１，２に即して説明したが、本発明は上述の実施形態及び変形形態１，２に限定されるものではなく、その要旨を逸脱しない範囲で、適宜変更して適用できることは言うまでもない。
例えば、実施形態等では、第１セパレータ４１の第１一方側端部４１ｂと第２セパレータ４３の第２一方側端部４３ｂとを溶着するための開口として、負極板３１の負極露出部３１ｍに円孔３１ｈ，１３１ｈ，２３１ｈを設けたが、開口の形状は円孔に限られない。例えば、図８（ａ）に示すように、開口の形状を、負極板３１の幅方向ＩＨ１に長い長円３３１ｈとすることができる。また、図８（ｂ）に示すように、開口の形状を、負極板３１の長手方向ＪＨ１に長い長円４３１ｈとすることができる。また、図８（ｃ）に示すように、開口の形状を、負極板３１の幅方向ＩＨ１に延びる切り欠き５３１ｈとすることもできる。
【００３７】
また、実施形態等では、第１電極板を負極板３１とし、第２電極板を正極板２１としたが、逆に、第１電極板を正極板２１とし、第２電極板を負極板３１としてもよい。即ち、正極板２１の正極露出部２１ｍに開口を設けて、この開口を通じて、第１セパレータ４１の第１他方側端部４１ｃと第２セパレータ４３の第２他方側端部４３ｃとを溶着してもよい。これにより、第１電極板の第１露出部（この場合、正極板２１の正極露出部２１ｍ）の近傍において、第１セパレータ４１及び第２セパレータ４３の熱収縮に起因して正極板２１と負極板３１とが短絡するのを防止できる。
【符号の説明】
【００３８】
１，１００，２００  リチウムイオン二次電池（電池）
２０  電極体
２０ｒ  電極体Ｒ部
２０ｆ  電極体平板部
２１  正極板（第２電極板）
３１  負極板（第１電極板）
３１ｎ  負極活物質部（第１活物質部）
３１ｍ  負極露出部（第１露出部）
３１ｍｆ  負極平板露出部
３１ｈ，１３１ｈ，２３１ｈ  円孔（開口）
１３１ｈ１  露出部円孔
３３１ｈ，４３１ｈ  長円（開口）
５３１ｈ  切り欠き（開口）
３２  負極集電箔（第１集電箔）
３３  負極活物質層（第１活物質層）
４１  第１セパレータ
４１ａ  第１本体部
４１ｂ  第１一方側端部（第１端部）
４１ｂｆ  第１一方側平板端部
４３  第２セパレータ
４３ａ  第２本体部
４３ｂ  第２一方側端部（第２端部）
４３ｂｆ  第２一方側平板端部
４５，２４５  一方側溶着部
４６  他方側溶着部
ＩＨ１，ＩＨ２，ＩＨ３，ＩＨ４  幅方向
ＪＨ１，ＪＨ２，ＪＨ３，ＪＨ４  長手方向
ＫＨ１，ＫＨ２  ＫＨ３，ＫＨ４  厚み方向
【図１】
2019153459.tif 000003
【図２】
2019153459.tif 000004
【図３】
2019153459.tif 000005
【図４】
2019153459.tif 000006
【図５】
2019153459.tif 000007
【図６】
2019153459.tif 000008
【図７】
2019153459.tif 000009
【図８】
2019153459.tif 000010